(57)【要約】      （修正有）【課題】大胸筋を鍛錬し女性の豊かな乳房を形成し美容上形の良い乳房を維持することが可能な大胸筋鍛錬豊胸具を提供する。【解決手段】操作者は自身の胸部に於いて、弾性体で形成された基体を両手を開いた状態で互いに押し合いアイソメトリック運動（等尺性収縮）を行い、操作者がアイソトニック運動（等張性収縮）を行うには、基体を両手で左右から把持し引き合い、その状態を数秒間維持した後弛緩する。本考案の大胸筋鍛錬豊胸具はアイソトニック運動（等張性収縮）とアイソメトリック運動（等尺性収縮）という二種類の運動を一つの器具で行うことができる。【選択図】図１
0003127177.tif 000002
【実用新案登録請求の範囲】
【請求項１】
全て弾性体で一体に形成された大胸筋鍛錬豊胸具において、操作者の肩から胸に沿うように形成された肩支持桿と基体より成り、前記基体上部より上方向かつ後方に施された左右一対の前記肩支持桿は左右それぞれ縦方向に延伸し、前記基体は断面が瓢箪形の円柱体で左右対称形を成し、前記基体の表面及び裏面には縦方向に凹部を施して成る大胸筋鍛錬豊胸具。
【考案の詳細な説明】
【技術分野】
【０００１】
本考案は身体の鍛錬器具に関し、弾性体を用いてアイソメトリック運動（等尺性収縮）とアイソトニック運動（等張性収縮）を行い、大胸筋を鍛錬することにより形の良い女性の乳房の形成と、維持を行う事が可能な器具に関する。
【背景技術】
【０００２】
大胸筋を鍛錬し女性の豊かな乳房を形成し維持するための方法として、自身の体重を利用しての腕立て伏せを行うか、エキスパンダーと称される器具を使用し、又は大型トレーニング装置を使用して大胸筋を鍛錬することが従来より広く行われていた。
【特許文献１】実用新案登録  第３０１５９８２号
【特許文献２】特許公表  ２００１−５０４７３６
【特許文献３】特開  ２００５−１５２０７７
【特許文献４】特開  ２００５−１９２９５７
【特許文献５】特開  ２００６−１２２５００
【考案の開示】
【考案が解決しようとする課題】
【０００３】
自身の体重を利用しての腕立て伏せは家庭で手軽に行える大胸筋の鍛錬運動ではあるが、大胸筋を鍛錬してバストアップを願う筋力の少ない女性には関節や筋を痛めるなどして不向きであった。
【０００４】
近年は各種の小型なる鍛錬具も提供されているが、そのどれもが弾性体を用いておらず収納場所に困難を伴い課題は残されていた。
【０００５】
大型トレーニングマシーンは各家庭に於いて使用するには価格面と非使用時の収納場所の両面に於いて課題は残されていた。
【０００６】
従来より存在する、いわゆるダンベル、バーベル、エキスパンダー、鉄アレイなどと称される鍛錬器具はアイソトニック運動（等張性収縮）のみの鍛錬器具であり、アイソメトリック運動（等尺性収縮）をも行えることを目的としたものではなかった。
【課題を解決するための手段】
【０００７】
操作者は自身の胸部に於いて、弾性体で形成された基体を両手を開いた状態で互いに押し合いアイソメトリック運動（等尺性収縮）を行う。
【０００８】
操作者がアイソトニック運動（等張性収縮）を行うには、基体を両手で左右から把持し引き合い、その状態を数秒間維持した後弛緩する。
【０００９】
本考案の大胸筋鍛錬豊胸具は安価で製作し提供することが可能であり、全て一体の弾性体で形成されていることにより、非使用時には小さく折りたたむことが可能であり収納場所の選択に困難は伴わない。
【００１０】
従来より存在するダンベル、バーベル、エキスパンダー、鉄アレイなどと称される鍛錬器具はアイソトニック運動（等張性収縮）のみを目的としたものであり、本考案の大胸筋鍛錬豊胸具はアイソトニック運動（等張性収縮）とアイソメトリック運動（等尺性収縮）という二種類の運動を一つの器具で行うことを実現し前記の課題を解決した。
【考案の効果】
【００１１】
従来はアイソメトリック運動（等尺性収縮）とアイソトニック運動（等張性収縮）を行う鍛錬器具はそれぞれ別個に存在していたが、本考案による大胸筋鍛錬豊胸具は前記二種類の運動を一つの器具で行うことが可能である。
【００１２】
本考案による大胸筋鍛錬豊胸具を用い大胸筋を鍛錬することにより、大胸筋表面に基底面を有する女性の乳房を美容上形良く支え、維持することが可能である。
【００１３】
小型で取扱い性に優れ老若を問わず簡易に使用可能である。
【００１４】
小型で安価で製作し提供することが可能である。
【００１５】
弾性体で形成されていることに依り、収納時には小さく折りたたみ弾性変形させることが可能である。
【考案を実施するための最良の形態】
【００１６】
以下、本考案の大胸筋鍛錬豊胸具について図面に基づき説明する。
【００１７】
図１は操作者の肩に肩支持桿B及びCを懸架し、該基体を胸部に垂下し操作している形態図である。まず両手を開いた状態で基体側面G及びHをそれぞれ体の中心に向け押し付ける。数秒間そのまま押し付けた状態を維持したのち徐々に筋肉を弛緩させる。この運動はアイソメトリック運動（等尺性収縮）であり、関節が動かないように固定された状態で筋がその長さを変えずに張力を発揮し大胸筋を鍛錬しバストアップトレーニングを行う。
【００１８】
図２は操作者が両手を開いた状態で基体側面G及びHを両手で押してアイソメトリック運動（等尺性収縮）を行っている操作形態を操作者の側面から見た図である。
【００１９】
図３は該大胸筋鍛錬豊胸具を胸部に装着している形態を操作者の背面より見た図であり、両肩には肩支持桿B及びCが懸架されている。
【００２０】
図４は操作者が胸部に該大胸筋鍛錬豊胸具を垂下し基体Aを両手で把持し、両手の指先を基体の凹部Dに位置し、アイソトニック運動（等張性収縮）を行っている操作状態図である。
【００２１】
図５は操作者がアイソトニック運動（等張性収縮）を行う場合の詳細図である。操作者は両手の指先を基体の凹部Dに位置させることにより基体Aを把持することが容易となり効果も高まる。
【００２２】
アイソメトリック運動（等尺性収縮）かアイソトニック運動（等張性収縮）を行うかは操作者は自由に選択可能である。
【産業上の利用可能性】
【００２３】
各図に図示の通り場合によっては基体A内部には感知部Kとそれに連動する表示部Lが施され、運動量などを表示し操作者の鍛錬意欲の向上に役立てるものである。
【００２４】
前記のように運動量を表示する方法としては、他に発光、発色、発音又は表示部が膨張するなどの種々の方法で表示しても良い。
【００２５】
左右一対の肩支持桿B及びCは必ずしも施さずとも良く、基体Aのみを両手で把持し操作するように形成しても良い。
【００２６】
操作者が筋を弛緩させ両腕を下方に下げたとしても両肩には肩支持桿B及びCが懸架されており、基体Aそのものが胸部から落下する恐れはない。
【００２７】
本考案による大胸筋鍛錬豊胸具を操作し、大胸筋に代表される胸部の筋及び背部の筋に緊張と弛緩を繰り返すことにより、弛緩したときには血管に新鮮な血液が大量に送り込まれ、次に緊張をすると老廃物を含む血液が絞られるように流され、大胸筋の鍛錬と共に健康増進となる。
【００２８】
乳房は乳腺とそれを包む豊富な脂肪組織のほかに、各方向に結合組織の繊維束がのび、基底面の胸壁の筋幕に前方を乳房の皮膚に固定する役目をしている。この結合組織で出来ている繊維の束が乳房堤靱帯で本考案による大胸筋鍛錬豊胸具を用いることに依り、美容上形の良い乳房を支えることが可能となる。
【図面の簡単な説明】
【００２９】
【図１】本考案の一実施例を示す操作状態図である。
【図２】本考案の一実施例を示す側面図である。
【図３】本考案の一実施例を示す背面図である。
【図４】本考案の一実施例を示す操作状態図である。
【図５】本考案の一実施例を示す詳細図である。
【符号の説明】
【００３０】
Ａ．  基体                 G．    基体側面
B．  肩支持桿              H．   基体側面
C．  肩支持桿              I．    基体上部
D．  基体凹部              J．    基体下部
E．  基体表面              K．    感知部
F．  基体裏面              L．    表示部
【図１】
0003127177.tif 000003
【図２】
0003127177.tif 000004
【図３】
0003127177.tif 000005
【図４】
0003127177.tif 000006
【図５】
0003127177.tif 000007